【手続補正書】
【提出日】平成20年9月19日(2008.9.19)
【手続補正１】
【補正対象書類名】明細書
【補正対象項目名】特許請求の範囲
【補正方法】変更
【補正の内容】
【特許請求の範囲】
【請求項１】 イメージング・システムであって、
ハード・ディスクに記憶された複数の構成設定ファイルのライブラリ（７２）であって、前記複数の構成設定ファイルの各々は製造元及び型式の異なる装置についての属性設定データを含み、既存の構成設定ファイルの属性設定データは、その名前と前記イメージング・システムによって各装置に送信されるデータ・オブジェクトに含めるために各装置が要求する各属性のための対応する各々のタグを含んでいる、前記ライブラリ（７２）と、
当該イメージング・システムからオブジェクトを受け取るネットワーク上の装置を識別する手段を備えるグラフィック・ユーザ・インタフェイス（４８、５８）と、
前記ネットワーク上の前記装置と通信するためのネットワーク接続ポート（４４）と、
属性制御ファイルを格納するシステム・メモリ（７４）と、
システム・ユーザにより前記グラフィック・ユーザ・インタフェイス（４８、５８）を介して入力された第１の入力に応答して、前記識別された装置に対応する前記ライブラリ内の構成設定ファイルから前記システム・メモリへ構成設定データをコピーし、前記システム・ユーザにより前記グラフィック・ユーザ・インタフェイス（４８、５８）を介して入力された第２の入力に応答して、前記コピーされた構成設定データに基づいて、前記システム・メモリ（７４）に属性制御ファイルを構築する工程を実行するようにプログラムされているコンピュータ（７０）と
を備えたイメージング・システム。
【請求項２】 前記コンピュータは、前記識別された装置を宛先としており、前記属性制御ファイルにおける前記コピーされた属性構成設定データに従って構成設定されている属性情報を含むオブジェクトを前記ネットワーク接続ポートへ送付する工程を実行するようにさらにプログラムされている請求項１に記載のシステム。
【請求項３】 前記グラフィック・ユーザ・インタフェイスは、一つの装置タイプに属する多数の装置の各々の製造元及び型式を一覧掲載した選択一覧（５８）を含んでおり、前記識別された装置は前記選択一覧から選択されており、
前記グラフィック・ユーザ・インタフェイスは、複数の装置タイプから前記装置タイプを選択する装置タイプ欄（４８）を含むメニューをさらに含んでおり、前記選択一覧は、前記装置タイプの選択に続いて表示され、
前記グラフィック・ユーザ・インタフェイスは、各回のトグル切り換えにより前記複数の装置タイプを連続して一つずつ表示するように前記装置タイプ欄をトグル式で切り換える手段を含んでいる請求項１に記載のシステム。
【請求項４】 ネットワーク上の装置と通信するようにイメージング・システムを構成設定する方法であって、
製造元及び型式の異なる装置についての属性構成設定データであって、既存の構成設定ファイルの属性設定データは、その名前と前記イメージング・システムによって各装置に送信されるデータ・オブジェクトに含めるために各装置が要求する各属性のための対応する各々のタグを含んでいる、前記属性設定データを各々含む構成設定ファイルのライブラリを前記イメージング・システムのハード・ディスクにインストールする工程と、
前記イメージング・システムからオブジェクトを受け取るネットワーク上の装置を識別する工程と、
前記識別された装置に対応する前記ライブラリ内の構成設定ファイルからシステム・メモリへ属性構成設定データをコピーする工程と、
前記コピーされた構成設定データに基づいて、前記システム・メモリ（７４）に属性制御ファイルを構築する工程と、
を備えた方法。
【請求項５】 前記コンピュータは、前記識別された装置を宛先としており、前記属性制御ファイルにおける前記コピーされた属性構成設定データに従って構成設定されている属性情報を含むオブジェクトを前記ネットワーク接続ポートへ送付する工程を実行するようにさらにプログラムされている請求項４に記載の方法。
【請求項６】 一つの装置タイプに属する多数の装置の各々のそれぞれの製造元及び型式を各々含む多数の装置識別子を含んでいる選択一覧をグラフィック・ユーザ・インタフェイスに表示する工程をさらに含んでおり、前記識別する工程は、前記選択一覧から装置識別子を選択することにより実行され、
複数の装置タイプから前記装置タイプを選択する工程をさらに含んでおり、前記選択一覧は、前記装置タイプの選択に続いて表示され、
グラフィック・ユーザ・インタフェイス上に装置タイプ欄を表示する工程と、各回のトグル切り換えにより前記複数の装置タイプを連続して一つずつ表示するように前記装置タイプ欄をトグル式で切り換える工程とをさらに含んでおり、前記選択された装置タイプは、前記装置タイプが前記装置タイプ欄に表示されているときに選択されている請求項４に記載の方法。
【請求項７】 イメージング・システムであって、
ハード・ディスクに記憶されており、当該イメージング・システムが製造元及び型式の異なる装置と通信することを可能にする属性構成設定データであって、既存の構成設定ファイルの属性設定データは、その名前と前記イメージング・システムによって各装置に送信されるデータ・オブジェクトに含めるために各装置が要求する各属性のための対応する各々のタグを含んでいる、前記属性設定データを各々含む構成設定ファイルのライブラリ（７２）と、
ネットワークを介して当該イメージング・システムからオブジェクトを受け取る装置を識別する手段を備えるグラフィック・ユーザ・インタフェイス（４８、５８）と、
前記ネットワークを介して前記装置と通信するためのネットワーク接続ポート（４４）と、
属性制御ファイルを格納するシステム・メモリ（７４）と、
システム・ユーザにより前記グラフィック・ユーザ・インタフェイス（４８、５８）を介して入力された第１の入力に応答して、前記識別された装置に対応する前記ライブラリ内の構成設定ファイルから前記システム・メモリへ構成設定データをコピーし、前記システム・ユーザにより前記グラフィック・ユーザ・インタフェイス（４８、５８）を介して入力された第２の入力に応答して、前記コピーされた構成設定データに基づいて、前記システム・メモリ（７４）に属性制御ファイルを構築するようにプログラムされている構成設定ファイル・マネージャ（７０）とを備えたイメージング・システム。
【請求項８】 前記識別された装置を宛先としており、前記属性制御ファイルにおける前記コピーされた構成設定データに従って構成設定されている属性情報を含むオブジェクトを前記ネットワーク接続ポートへ送付する手段（４０）をさらに含んでいる請求項７に記載のシステム。
【請求項９】 イメージング・システムを構成設定する装置であって、
ハード・ディスク（３６）に記憶されており、イメージング・システムが製造元及び型式の異なる装置と通信することを可能にする属性構成設定データであって、既存の構成設定ファイルの属性設定データは、その名前と前記イメージング・システムによって各装置に送信されるデータ・オブジェクトに含めるために各装置が要求する各属性のための対応する各々のタグを含んでいる、前記属性設定データを各々含む構成設定ファイルのライブラリ（７２）と、
複数の装置タイプから一つの装置タイプを選択するように起動することの可能な装置タイプ欄（４８）を含んでいるメニュー、装置タイプが選択されたときに前記メニュー上に表示され、前記選択された装置タイプに属する多数の装置の各々の製造元及び型式の一覧を表示するポップ・アップ式画面（５８）、並びに前記一覧において製造元及び型式を選択するように起動することの可能な仮想的ボタン（５４）を含んでいるグラフィック・ユーザ・インタフェイスと、
属性制御ファイルを格納するシステム・メモリ（７４）と、
前記選択された製造元及び型式に対応する前記ライブラリ内の構成設定ファイルから前記システム・メモリへ属性構成設定データをコピーし、前記装置が起動され、システム・ユーザが前記メニューからエキジットした場合、前記コピーされた構成設定データに基づいて、前記システム・メモリ（７４）に属性制御ファイルを構築するようにプログラムされている構成設定ファイル・マネージャ（７０）とを備えたイメージング・システムを構成設定する装置。
【請求項１０】 様々な装置と通信するようにイメージング装置を構成設定する方法であって、
製造元及び型式の異なる装置についての属性構成設定データであって、既存の構成設定ファイルの属性設定データは、その名前と前記イメージング・システムによって各装置に送信されるデータ・オブジェクトに含めるために各装置が要求する各属性のための対応する各々のタグを含んでいる、前記属性設定データを各々含む構成設定ファイルのライブラリをインストレーション・ディスクに記録する工程と、
前記イメージング・システムに前記インストレーション・ディスクを挿入する工程と、
前記インストレーション・ディスクから前記イメージング・システムのハード・ディスクへ前記構成設定ファイルのライブラリをコピーする工程と、
前記イメージング・システムからオブジェクトを受け取るように起動されるべき複数の装置を識別する工程と、
前記起動された装置の各々について、前記ライブラリ内のそれぞれの構成設定ファイルからコピーされた構成設定データに基づいて、システム・メモリに属性制御ファイルを構築する工程とを備えた方法。